(57)【要約】【課題】床面への固定を必要とせず、ドアに取り付け可能な収納式着替え台を提供すること。【解決手段】ボードと、ボードをドアと床面との間で回動自在に軸支する本体部と、本体部が取り付けられ、ドアに少なくとも２方向から固定される固定部と、を備えるようにした。【選択図】  図１
2016112240.tif 000002
【特許請求の範囲】
【請求項１】
ドアと床面とを有する空間に設置される収納式着替え台であって、
ボードと、 
前記ボードを前記ドアと前記床面との間で回動自在に軸支する本体部と、 
前記本体部が取り付けられ、前記ドアに少なくとも２方向から固定される固定部と、 
を備えたことを特徴とする収納式着替え台。  
【請求項２】
前記固定部は、床面と接触するキャスターを備えることを特徴とする請求項１に記載の収納式着替え台。  
【請求項３】
前記本体部は、前記ボードを前記ドアと略平行とした状態において、前記ドアから最も遠い面にクッション部材を備えたことを特徴とする請求項１または請求項２に記載の収納式着替え台。 
【発明の詳細な説明】
【技術分野】
【０００１】
本発明は、収納式着替え台に係り、特に、トイレ、更衣室等に設けられる収納式着替え台に関する。
【背景技術】
【０００２】
従来、トイレや更衣室等において、床面と壁面との接続隅部に設置される種々の収納式着替え台が提案されている。これらの収納式着替え台は、靴を脱いで着替えの際の踏み板となるボードを、壁面に立て掛けた状態で収納し、使用時にはボードを床面側に倒して使用状態とするものである。そして、この構造により、トイレを簡易的な更衣室として利用することができるものである（特許文献１参照）。このような収納式着替え台においては床面と壁面との接続隅部に設置されるため、床面および壁面の両方に固定されている。
【先行技術文献】
【特許文献】
【０００３】
【特許文献１】特開２００５−２６１８３３号公報
【発明の概要】
【発明が解決しようとする課題】
【０００４】
しかしながら、トイレや更衣室等において収納式着替え台を取り付ける際に、収納式着替え台を床面に固定できない場合があった。例えば、ドアは床面に対して回動するため、ドアに収納式着替え台を取り付ける際には、床面へ収納式着替え台を固定することができない。そのため、特許文献１に開示される収納式着替え台では、ドアへの固定だけでは固定強度が不足するため、取り付けることができなかった。 
【０００５】
本発明はこのような課題に鑑みなされたもので、床面への固定を必要とせず、ドアに取り付け可能な収納式着替え台を提供することを目的とする。
【課題を解決するための手段】
【０００６】
上記課題を解決するために、第１の態様は、ドアと床面とを有する空間に設置される収納式着替え台であって、ボードと、前記ボードを前記ドアと前記床面との間で回動自在に軸支する本体部と、前記本体部が取り付けられ、前記ドアに少なくとも２方向から固定される固定部と、を備えたことを特徴とする収納式着替え台である。
【０００７】
このような構成によれば、固定部はドアに対して少なくとも２方向から固定される。そのため、固定部を介してドアに取り付けられる本体部を支えるのに十分な固定強度で固定部をドアに固定することができる。そのため、床面への固定を必要とせず、収納式着替え台をドアに取り付けることが可能となる。
【０００８】
また、第２の態様は、前記固定部は、床面と接触するキャスターを備えることを特徴とする請求項１に記載の収納式着替え台である。
【０００９】
このような構成によれば、収納式着替え台をドアに取り付けた際にドアのヒンジに掛かる荷重を軽減することができる。即ち、ドアはヒンジによって壁面に固定されているため、収納式着替え台をドアに取り付けると、使用者が収納式着替え台のボードに乗った際の荷重をヒンジで支えることとなる。そのため、ヒンジに収納式着替え台を使用した際の荷重を支えることができる強度が求められ、別ヒンジへの交換等が発生する可能性がある。
【００１０】
しかし、このような構成によれば、収納式着替え台のボードに使用者が乗った際に掛かる荷重をキャスターで支えることができるので、ヒンジに掛かる荷重を軽減することができる。そのため、ヒンジに収納式着替え台を使用した際の荷重を支えることができる強度を求めなくても良くなる。
【００１１】
また、第３の態様は、前記本体部は、前記ボードを前記ドアと略平行とした状態において、前記ドアから最も遠い面にクッション部材を備えたことを特徴とする請求項１または請求項２に記載の収納式着替え台である。
【００１２】
このような構成によれば、収納式着替え台をドアに取り付けた際に、本体部に設けられたクッション部材がドアの戸当たり部材となる。即ち、ドアを開いた際に、収納式着替え台の本体部に設けられたクッション部材が壁と衝突するため、ドアが壁に直接衝突し、大きな音が発生するのを抑制することができる。
【発明の効果】
【００１３】
本発明によれば、床面への固定を必要とせず、ドアに取り付け可能な収納式着替え台を提供することができる。
【図面の簡単な説明】
【００１４】
【図１】第１実施形態の収納式着替え台を設置した状態を示す斜視図である。
【図２】第１実施形態の収納式着替え台の全体斜視図である。
【図３】第１実施形態の収納式着替え台の断面図である。
【図４】ドアに取り付けられた固定部と、固定部に取り付けられた本体部の本体フレームを示した斜視図である。
【図５】第１実施形態の収納式着替え台を設置したトイレ室のドアが開かれた状態を示す平面図である。
【図６】第２実施形態の収納式着替え台の断面図である。
【図７】第３実施形態の収納式着替え台の断面図である。
【図８】第４実施形態の収納式着替え台の断面図である。
【図９】第４実施形態の収納式着替え台を設置したトイレ室のドアが開かれた状態を示す平面図である。
【図１０】変形例の収納式着替え台の断面図である。
【発明を実施するための形態】
【００１５】
以下、添付図面を参照しながら本発明の実施の形態について説明する。説明の理解を容易にするため、各図面において同一の構成要素に対しては可能な限り同一の符号を付して、重複する説明は省略する。
【００１６】
＜第１実施形態＞
図１はトイレ室１０に第１実施形態の収納式着替え台２０を設置した状態を示す斜視図である。
【００１７】
図１に示すように、第１実施形態の収納式着替え台２０はトイレ室や更衣室などのドアに取り付けられる。ここでは、説明のために第１実施形態の収納式着替え台２０がトイレ室１０のドア１４に取り付けられた状態を用いて説明する。
【００１８】
トイレ室１０にはドア１４と対向する位置に水洗大便器１２が設置されている。そして、ドア１４のトイレ室１０の内側となる面に、収納式着替え台２０が取り付けられている。この収納式着替え台２０は、ドア１４の下端部に固定される固定部２６と、この固定部２６に取り付けられる本体部２４と、本体部２４に回動自在に軸支されるボード２２と、ボード２２を地面Ｇ側に倒した状態において地面Ｇと接地する脚部２３と、を備えている。
【００１９】
この収納式着替え台２０の構造について、図２乃至図４を用いて説明する。図２は第１実施形態の収納式着替え台２０の全体斜視図である。図３は第１実施形態の収納式着替え台２０の断面図である。図４はドア１４に取り付けられた固定部２６と、固定部２６に取り付けられた本体部２４の本体フレーム２４ａを示した斜視図である。なお、図２においては、説明のために、本体部２４のケースを図示していない。また、図４においては説明のために、ボード２２、本体部２４の図示しないケース、および、ボード２２を本体部２４に軸支する軸２４ｃなどを図示していない。
【００２０】
本体部２４は、後述する固定部２６に取り付けられる本体フレーム２４ａと、ボード２２を軸支する軸２４ｃを備えており、ボード２２はこの軸２４ｃを中心にして、ボード２２を床面Ｇ側に倒した状態（使用状態）と、ドア１４側に立てた状態（収納状態）との間で回動することができる。
また、本体フレーム２４ａは、図３および図４に示すように、下端面を固定部２６の本体載置面２６ｃに載せた状態で、本体載置面２６ｃに形成されているネジ部２６ｅにナット２４ｂで固定することにより取り付けられる。また、本体フレーム２４ａのドア１４と接触する側面には、固定部２６の傾斜部２６ｄと係合する凹部２４ｃが形成されている。
【００２１】
続いて、固定部２６について説明する。図３に示すように、固定部２６はドア１４のトイレ室１０の内側となる面と接触する側面側固定面２６ｂ、及び、ドア１４の下端面と接触する下端側固定面２６ａを備えている。側面側固定面２６ｂは下端側固定面２６ａに垂直に形成されており、側面側固定面２６ｂおよび下端側固定面２６ａの両方からネジ２８で固定することにより、固定部２６をドア１４に２方向から固定することができる。また、側面側固定面２６ｂの上端部は、ドア１４のトイレ室１０の内側となる面から離れるように傾斜している傾斜部２６ｄが形成されている。
【００２２】
また、固定部２６は、本体部２４を取り付けるときに本体部２４が載せられる本体載置面２６ｃを備えている。本体載置面２６ｃは、下端側固定面２６ａと平行に形成されており、かつ、側面側固定面２６ｂよりもトイレ室１０の内側となる位置に設けられている。
【００２３】
以上、説明したように、第１実施形態の収納式着替え台２０においては、固定部２６がドア１４に対して２方向から固定される。そのため、固定部２６を介してドア１４に取り付けられる本体部２４を支えるのに十分な固定強度で固定部２６をドア１４に固定することができる。そのため、固定部２６は床面Ｇへの固定を必要とせず、収納式着替え台２０の本体部２４をドア１４に取り付けることができる。
【００２４】
また、第１実施形態の収納式着替え台２０をドア１４のトイレ室１０の内側となる面に取り付けた場合の効果について、図５を用いて説明する。図５はトイレ室１０のドア１４が開かれた状態を示す平面図である。
【００２５】
図５に示すように、トイレ室１０のドア１４はトイレ室１０の内側へ開く内開きとなっている。このような、ドア１４のトイレ室１０の内側となる面に収納式着替え台２０を取り付けることで、ドア１４を開いたときに、収納式着替え台２０がドア１４と、トイレ室１０の側壁１６によって挟まれた状態となる。そのため、トイレ室１０に入室してくる使用者に対して、収納式着替え台２０を隠すことができ、使用者の足等に収納式着替え台が接触して汚れることを抑制することができる。
【００２６】
また、内開きのドア１４に取り付けることで、収納式着替え台２０のボード２２を床面Ｇ側に倒した状態（使用状態）では、ボード２２がトイレ室１０の側壁１６に当たってドア１４を十分に開くことができなくなる。
そのため、使用者に対して、収納式着替え台２０を使用した後ボード２２をドア１４側に立てた状態（収納状態）に戻してから、退出することを促すことができる。
【００２７】
これにより、使用者がボード２２を床面Ｇ側に倒した状態で、トイレ室１０から退出してしまうのを抑制することができ、次の使用者が使用状態のままになっている収納式着替え台２０を見て不快感を抱くことを抑制することができる。
【００２８】
＜第２実施形態＞
続いて、第２実施形態の収納式着替え台３０について図６を用いて説明する。図６は第２実施形態の収納式着替え台３０の断面図である。
【００２９】
図６に示すように、第２実施形態の収納式着替え台３０においては、固定部３６の構造が変化している。固定部３６はドア１４のトイレ室１０の内側となる面と接触する内面側固定面３６ｂ、ドア１４の下端面と接触する下端側固定面３６ａに加えて、ドア１４のトイレ室１０の外側となる面と接触する外面側固定面３６ｃを備えている。
【００３０】
内面側固定面３６ｂおよび外面側固定面３６ｃは互いに対向するよう平行に設けられており、内面側固定面３６ｂおよび外面側固定面３６ｃでドア１４を挟み込むようにして取り付け、その状態で、内面側固定面３６ｂおよび外面側固定面３６ｃの両方からネジ２８で固定する。
【００３１】
これによって、ドア１４を２方向から固定することができ、固定部３６を介してドア１４に取り付けられる本体部２４を支えるのに十分な固定強度で固定部３６をドア１４に固定することができる。そのため、固定部３６は床面Ｇへの固定を必要とせず、収納式着替え台２０の本体部２４をドア１４に取り付けることができる。
【００３２】
＜第３実施形態＞
続いて、第３実施形態の収納式着替え台４０について図７を用いて説明する。図７は第３実施形態の収納式着替え台４０の断面図である。
【００３３】
図７に示すように、第３実施形態の収納式着替え台４０において、固定部２０は床面Ｇに接地するキャスター４２を備えている。このようにすることで、収納式着替え台２０のボード２２に使用者が乗った際に掛かる荷重をボード２２に設けられる脚部、及び、キャスター４２で支えることができる。
そのため、ボード２２に乗った使用者の荷重がドア１４に伝わることを抑制することができ、これにより、ドア１４を取り付けている図示しないヒンジに掛かる荷重を軽減することができる。そのため、ヒンジに収納式着替え台２０を使用した際の荷重を支えることができる強度が無い場合であっても、収納式着替え台２０をドア１４に取り付けることができる。
【００３４】
＜第４実施形態＞
続いて、第４実施形態の収納式着替え台５０について図８及び図９を用いて説明する。図８は第４実施形態の収納式着替え台５０の断面図である。図９は第４実施形態の収納式着替え台５０を設置したトイレ室１０のドア１４が開かれた状態を示す平面図である。
【００３５】
図８に示すように、第４実施形態の収納式着替え台５０は、ボード２２をドア１４と略平行とした状態（収納状態）において、本体部５２のドア１４から最も遠い面となる側面５２ａにクッション部材５４が形成されている。
このクッション部材５４は、ボード２２を収納状態とした際にドア１４から最も遠い面となる側面５２ａに形成されているため、クッション部材５４はドア１４から最も突出した箇所となる。
【００３６】
そのため、図９に示すように、ドア１４を開けるとクッション部材５４がトイレ室１０の側壁１６と当たる。クッション部材５４はゴム等の弾性を有する部材、もしくは、ダンパー等で形成されているため、側壁１６と当たった時の衝撃を吸収することができる。そのため、ドア１４を開けた時に、ドア１４もしくは収納式着替え台５０が当たることによって大きな音が発生することを抑制することができる。
また、第４実施形態の収納式着替え台５０がクッション部材５４を備えているため、ドア１４に別途クッション部材を設けなくてもよくなる。そのため、ドア１４の施工を簡略化することができる。
＜変形例＞
以上、本願の開示する技術の実施形態について説明したが、本願の開示する技術は上記に限定されるものではない。
【００３７】
例えば、図６において、固定部３６は、内面側固定面３６ｂおよび外面側固定面３６ｃの両方からネジ２８によって固定されると説明したが、本発明の固定部３６はこれに限定されるものではなく、例えば、図１０に示すように、ネジ２８は内面側固定面３６ｂから外面側固定面３６ｃまで、ドア１４を貫通するようにして固定部３６を固定しても良い。この時、ネジ２８はナット２９などを用いて固定される。
【００３８】
図１０に示すように固定部３６を固定したとしても、ネジ２８とナット２９を締め上げることで、内面側固定面３６ｂおよび外面側固定面３６ｃをドア１４に押しつけるように力を加えることができるため、固定部３６をドア１４に対して２方向から固定することができる。
【００３９】
前述した各実施形態が備える各要素は、技術的に可能な限りにおいて組み合わせることができ、これらを組み合わせたものも本発明の特徴を含む限り本発明の範囲に包含される。
【符号の説明】
【００４０】
１０：トイレ室
１２：水洗大便器
１４：ドア
１６：側壁
２０：収納式着替え台
２２：ボード
２３：脚部
２４：本体部
２４ａ：本体フレーム
２４ｂ：ナット
２４ｃ：軸
２４ｄ：軸穴
２６：固定部
２６ａ：下端側固定面
２６ｂ：側面側固定面
２６ｃ：本体載置面
２６ｄ：傾斜部
２６ｅ：ネジ部
２８：ネジ
２９：ナット
３０：収納式着替え台
３６：固定部
３６ａ：下端側固定面
３６ｂ：内面側固定面
３６ｃ：外面側固定面
３６ｄ：本体載置面
３６ｅ：傾斜部
３６ｆ：ネジ部
４０：収納式着替え台
４２：キャスター
５０：収納式着替え台
５２：本体部
５２ａ：側面
５４：クッション部材
Ｇ：床面
【図１】
2016112240.tif 000003
【図２】
2016112240.tif 000004
【図３】
2016112240.tif 000005
【図４】
2016112240.tif 000006
【図５】
2016112240.tif 000007
【図６】
2016112240.tif 000008
【図７】
2016112240.tif 000009
【図８】
2016112240.tif 000010
【図９】
2016112240.tif 000011
【図１０】
2016112240.tif 000012